(57)【要約】【課題】開閉部材のスキャナーハウジングに対する開閉状態を検出できる構成及びスキャナーハウジングをベースハウジングに対して開閉動作不能にロックする構成を備える場合においても装置全体の大型化を抑制することのできる画像読取装置、及びこれと組み合わされる記録装置を提供する。【解決手段】画像読取装置は、ベースハウジング２Ａに対して開閉自在な原稿読取装置１０、原稿読取装置１０に対して開閉自在な搬送装置、原稿読取装置１０をベースハウジング２Ａにロック状態又はアンロック状態とするロック部材５２、搬送装置が閉位置のときロック部材５２をアンロック位置に移動させる一方で開位置のときにはロック位置に移動させる移動部材５１及びロック部材５２及び移動部材５１の少なくとも一方のアンロック状態での位置により搬送装置の閉位置を検出する一方でロック状態での位置により搬送装置の開位置を検出する開閉センサー５４を有する。【選択図】図４
2014013971.tif 000002
【特許請求の範囲】
【請求項１】
原稿から画像を読み取る読取り部を収容するとともに、下方側のベースハウジングに対してその上方を覆う閉位置とその上方を開放する開位置との間での開閉自在に取り付けられるスキャナーハウジングと、
前記スキャナーハウジングに対してその上方を覆う閉位置とその上方を開放する開位置との間での開閉自在に取り付けられる開閉部材と、
ロック位置に移動することにより前記スキャナーハウジングを前記ベースハウジングに対して開閉不能なロック状態とする一方、アンロック位置に移動することにより前記スキャナーハウジングを前記ベースハウジングに対して開閉可能なアンロック状態とするロック部材と、
前記開閉部材が前記スキャナーハウジングに対して閉位置にあるときに一方向へ変位して前記ロック部材を前記アンロック位置に移動させる一方、前記開閉部材が前記スキャナーハウジングに対して開位置にあるときに他方向へ変位して前記ロック部材を前記ロック位置に移動させる移動部材と、
前記アンロック状態における前記ロック部材及び前記移動部材の少なくとも一方の位置によって前記開閉部材が前記スキャナーハウジングに対して閉位置にあることを検出する一方、前記ロック状態における前記ロック部材及び前記移動部材の少なくとも一方の位置によって前記開閉部材が前記スキャナーハウジングに対して開位置にあることを検出する開閉センサーとを有する画像読取装置。
【請求項２】
前記開閉センサーは、前記アンロック状態における前記移動部材の位置によって前記開閉部材が前記スキャナーハウジングに対して閉位置にあることを検出する一方、前記ロック状態における前記移動部材の位置によって前記開閉部材が前記スキャナーハウジングに対して開位置にあることを検出するものであり、
前記ロック状態における前記移動部材の位置を第１位置とし、
前記アンロック状態における前記移動部材の位置を第２位置としたとき、
前記移動部材は、前記第１位置から前記第２位置に移動する過程で前記ロック部材と当接して該ロック部材を前記ロック位置から前記アンロック位置に移動させる当接部分と、前記第２位置において前記開閉部材が前記スキャナーハウジングに対して閉位置にあることを前記開閉センサーに検出させる被検出部分とを有する
請求項１に記載の画像読取装置。
【請求項３】
前記第１位置と前記第２位置との間の前記移動部材が移動する領域を第１領域とし、前記ロック位置と前記アンロック位置との間の前記ロック部材が移動する領域を第２領域として、
前記第１領域と前記第２領域の一部が重複し、該重複した領域に前記開閉センサーが設けられる
請求項２に記載の画像読取装置。
【請求項４】
前記ロック部材のうち前記当接部分と接触する部分を接触部分として、
前記当接部分及び前記接触部分の少なくとも一方は、他方に対して相対移動しながらカム係合することにより、前記ロック部材を前記ロック位置と前記アンロック位置との間で移動させるカム形状を有する
請求項２または３に記載の画像読取装置。
【請求項５】
前記ロック部材は、係合部分を有し、
前記スキャナーハウジングは、前記係合部分と係止することが可能な係止部を有し、
前記係合部分は、前記開閉部材が前記スキャナーハウジングに対して開位置にあるときに前記係止部と係止することにより前記ロック状態を形成する
請求項１〜４のいずれか一項に記載の画像読取装置。
【請求項６】
請求項１〜５のいずれか一項に記載の画像読取装置と組み合わされ、同画像読取装置で読み取った画像の記録処理が可能な記録装置。
【発明の詳細な説明】
【技術分野】
【０００１】
本発明は、ベースハウジングの上側に開閉動作可能スキャナーハウジングを取り付けるとともに、そのスキャナーハウジングの上側に更に開閉部材を開閉動作可能に取り付けた画像読取装置、及び同装置と組み合わせられる記録装置に関する。
【背景技術】
【０００２】
従来、この種の画像読取装置として様々のものが提案されている。このような画像読取装置においては、開閉部材をスキャナーハウジングに対して開いたとき、スキャナーハウジングはベースハウジングに対して開閉不可能であることが好ましい。すなわち、開閉部材をスキャナーハウジングに対して開いたとき、スキャナーハウジングはベースハウジングに対して開閉動作不能にロックされていることが好ましい。
【０００３】
この点、特許文献１は、そのような画像読取装置の一例として、原稿カバー（開閉部材）が閉じているときには、スキャナーハウジングを開くことができる一方、原稿カバーが開いているときには、スキャナーハウジングを開くことができないロック手段を有する画像入出力装置を開示している。
【先行技術文献】
【特許文献】
【０００４】
【特許文献１】特許第４３８９７１３号公報
【発明の概要】
【発明が解決しようとする課題】
【０００５】
ところで、上記の画像入出力装置において、原稿カバーのスキャナーハウジングに対する開閉状態を検出するためには、ロック手段を構成する機構とは別途に原稿カバーの開閉状態を直接的に検出する検出レバー等からなるセンサー機構が必要となる。そのため、このようなセンサー機構を、上記のロック手段を構成する機構とは別機構で画像入出力装置に取り付ける場合、画像入出力装置の大型化をまねくおそれがある。
【０００６】
なお、こうした実情は、上記の画像入出力装置に限らず、ベースハウジングの上側に開閉動作可能にスキャナーハウジングを取り付けるとともに、そのスキャナーハウジングの上側に更に開閉部材を開閉動作可能に取り付けた画像読取装置、及び同装置に組み合わせられる記録装置においては、概ね共通したものとなっていた。
【０００７】
本発明は、上記課題を解決するため、開閉部材のスキャナーハウジングに対する開閉状態を検出できる構成及びスキャナーハウジングをベースハウジングに対して開閉動作不能にロックする構成を備える場合においても装置全体の大型化を抑制することのできる画像読取装置、及びこれと組み合わされる記録装置を提供することを目的とする。
【課題を解決するための手段】
【０００８】
上記目的を達成するために、本発明の画像読取装置は、原稿から画像を読み取る読取り部を収容するとともに、下方側のベースハウジングに対してその上方を覆う閉位置とその上方を開放する開位置との間での開閉自在に取り付けられるスキャナーハウジングと、前記スキャナーハウジングに対してその上方を覆う閉位置とその上方を開放する開位置との間での開閉自在に取り付けられる開閉部材と、ロック位置に移動することにより前記スキャナーハウジングを前記ベースハウジングに対して開閉不能なロック状態とする一方、アンロック位置に移動することにより前記スキャナーハウジングを前記ベースハウジングに対して開閉可能なアンロック状態とするロック部材と、前記開閉部材が前記スキャナーハウジングに対して閉位置にあるときに一方向へ変位して前記ロック部材を前記アンロック位置に移動させる一方、前記開閉部材が前記スキャナーハウジングに対して開位置にあるときに他方向へ変位して前記ロック部材を前記ロック位置に移動させる移動部材と、前記アンロック状態における前記ロック部材及び前記移動部材の少なくとも一方の位置によって前記開閉部材が前記スキャナーハウジングに対して閉位置にあることを検出する一方、前記ロック状態における前記ロック部材及び前記移動部材の少なくとも一方の位置によって前記開閉部材が前記スキャナーハウジングに対して開位置にあることを検出する開閉センサーとを有する。
【０００９】
この構成によれば、開閉センサーは、スキャナーハウジングがベースハウジングに対して開閉不能なロック状態にある場合と開閉可能なアンロック状態にある場合におけるロック部材及び移動部材の位置の違いを利用して開閉部材のスキャナーハウジングに対する開閉状態を検出する。このため、ロック部材及び移動部材に加えて、開閉部材の開閉状態を直接的に検出するセンサーを画像読取装置に取り付ける構成と比較して、画像読取装置の大型化を抑制することができる。
【００１０】
本発明の画像読取装置において、前記開閉センサーは、前記アンロック状態における前記移動部材の位置によって前記開閉部材が前記スキャナーハウジングに対して閉位置にあることを検出する一方、前記ロック状態における前記移動部材の位置によって前記開閉部材が前記スキャナーハウジングに対して開位置にあることを検出するものであり、前記ロック状態における前記移動部材の位置を第１位置とし、前記アンロック状態における前記移動部材の位置を第２位置として、前記移動部材は、前記第１位置から前記第２位置に移動する過程で前記ロック部材と当接して該ロック部材を前記ロック位置から前記アンロック位置に移動させる当接部分と、前記第２位置において前記開閉部材が前記スキャナーハウジングに対して閉位置にあることを前記開閉センサーに検出させる被検出部分とを有する。
【００１１】
この構成によれば、簡易な構成で、上記と同様の効果、すなわち、ロック部材及び移動部材に加えて、開閉部材の開閉状態を直接的に検出するセンサーを画像読取装置に取り付ける構成と比較して、画像読取装置の大型化を抑制することができる。
【００１２】
本発明の画像読取装置において、前記第１位置と前記第２位置との間の前記移動部材が移動する領域を第１領域とし、前記ロック位置と前記アンロック位置との間の前記ロック部材が移動する領域を第２領域として、前記第１領域と前記第２領域の一部が重複し、該重複した領域に前記開閉センサーが設けられる。
【００１３】
この構成によれば、移動部材の移動領域である第１領域とロック部材の移動領域である第２領域との重複する領域に開閉センサーが位置するため、第１領域と第２領域との重複する領域以外の領域に開閉センサーを設ける構成と比較して、画像読取装置の大型化を抑制することができる。
【００１４】
本発明の画像読取装置において、前記ロック部材のうち前記当接部分と接触する部分を接触部分として、前記当接部分及び前記接触部分の少なくとも一方は、他方に対して相対移動しながらカム係合することにより、前記ロック部材を前記ロック位置と前記アンロック位置との間で移動させるカム形状を有する。
【００１５】
この構成によれば、当接部分及び接触部分の少なくとも一方が有するカム形状を適宜変更することにより、移動部材の移動に伴いロック部材が移動する態様を様々な態様に変更することができる。
【００１６】
本発明の画像読取装置において、前記ロック部材は、係合部分を有し、前記スキャナーハウジングは、前記係合部分と係止することが可能な係止部を有し、前記係合部分は、前記開閉部材が前記スキャナーハウジングに対して開位置にあるときに前記係止部と係止することにより前記ロック状態を形成する。
【００１７】
この構成によれば、開閉部材がスキャナーハウジングに対して開位置にあるときに、スキャナーハウジングがベースハウジングに対して開くことを抑制できる。
本発明の記録装置は、上記構成の画像読取装置で読み取った画像の記録処理が可能である。この構成によれば、記録装置において前記画像読取装置と同様の効果を享受することができる。
【図面の簡単な説明】
【００１８】
【図１】本発明の実施形態における複合機の斜視図。
【図２】同複合機について、搬送装置が原稿読取装置の上方を開放した開位置にある状態を示す斜視図。
【図３】同複合機について、搬送装置及び原稿読取装置からなる画像読取装置が、複合機のベースハウジングの上方を開放した開位置にある状態を示す斜視図。
【図４】ロック部材がロック位置にあるロック状態を示す斜視図。
【図５】ロック部材がロック位置にあるロック状態を示す底面図。
【図６】ロック部材がアンロック位置にあるアンロック状態を示す斜視図。
【図７】ロック部材がアンロック位置にあるアンロック状態を示す底面図。
【発明を実施するための形態】
【００１９】
以下、本発明を画像読取装置と画像形成装置を組み合わせた複合機において具体化した一実施形態を図１〜図７を参照して説明する。なお、以下の説明において、「上下方向」、「左右方向」及び「前後方向」と記載する場合には、各図中に矢印で示す上下方向、左右方向及び前後方向をそれぞれ示すものとする。
【００２０】
図１に示すように、複合機１は、媒体の一例としての印刷用紙にインクの噴射により印字及び印画をする記録ヘッドなどの記録部を有する画像形成装置（記録装置）２と、画像形成装置２上に配置され、原稿Ｐから画像を読み取る画像読取装置３とを備えている。また、画像読取装置３は、同装置の主要部として内部に画像読取のための各種機器を収容した原稿読取装置１０と、原稿読取装置１０上に配置され、原稿Ｐを原稿読取装置１０の所定位置に搬送する原稿搬送装置２０（以下、「搬送装置２０」ともいう。）とを備えている。
【００２１】
そして、搬送装置２０は、原稿読取装置１０によって画像が読み取られる前の原稿Ｐが載置される給紙トレイ２１と、原稿読取装置１０によって画像が読み取られた後の原稿Ｐが排出される排紙トレイ２２とを備えている。なお、画像形成装置２は、画像読取装置３で読み取った画像の印刷処理（記録処理）が可能である。
【００２２】
図２に示すように、原稿読取装置１０と搬送装置２０とはそれぞれの左側縁部がヒンジ３０を介して回動自在に連結されている。そのため、搬送装置２０は、指掛部２０ａのある右側縁部がユーザーによって持ち上げられることにより、図１に示す原稿読取装置１０の上方を覆う閉位置から図２に示す原稿読取装置１０の上方を開放する開位置との間で開閉自在に変位する。この点で、搬送装置２０は、原稿読取装置１０に対してその上方を覆う閉位置とその上方を開放する開位置との間での開閉自在に取り付けられる開閉部材として機能する。
【００２３】
なお、図示はしないが、原稿読取装置１０とヒンジ３０との連結において、原稿読取装置１０の位置を調整できるように、原稿読取装置１０側を長穴にして、原稿読取装置１０とヒンジ３０とをネジで固定している。
【００２４】
また、搬送装置２０は、給紙トレイ２１から排紙トレイ２２に原稿Ｐを搬送する反転経路を途中に有する搬送路と、その搬送路を通過する原稿Ｐを原稿読取装置１０側に露出させるための開口部２４と、開口部２４を覆う透明シート部材２５と、透明板１１に載置された原稿Ｐを押圧する原稿押圧マット２６とを備えている。
【００２５】
開口部２４は、搬送装置２０を閉位置に移動したときに、透明板１１上において、枠部材１２の後側の内縁から前方に向かって所定の長さを有し、且つ枠部材１２の左右の各内縁の間隔と略同じ幅を有する長方形に形成されている。原稿押圧マット２６は、搬送装置２０を閉位置に移動したときに、透明板１１上において、枠部材１２の前側の内縁から後方に向かって開口部２４と対応する領域まで所定の間隔を有する位置までの長さを有し、且つ枠部材１２の左右の各内縁の間隔と同じ幅を有する長方形に形成される。
【００２６】
また、図２に示すように、原稿読取装置１０は、原稿Ｐが載置される透明板１１と、透明板１１を固定する枠部材１２とを備えている。透明板１１は、長方形に形成されており、四角環状のハウジングである枠部材１２に対して下側から取り付けられている。そして、透明板１１上には、枠部材１２の前及び左の各内縁によって規定される位置に原稿Ｐが位置合わせされて載置される。
【００２７】
また、図２において一点鎖線で示すように、原稿読取装置１０は、透明板１１越しに原稿Ｐから画像を読み取るコンタクトイメージセンサーユニット１３（以下、「ＣＩＳ１３」ともいう。）、ＣＩＳ１３を移動させるとき駆動する駆動ベルト１４、ＣＩＳ１３の前後方向への移動を案内するレール１５を内部に備えている。また、原稿読取装置１０内においてＣＩＳ１３が移動する空間領域内には、ＣＩＳ１３を原稿読取装置１０内に配置された制御装置１７に接続するフレキシブルフラットケーブル１６（以下、「ＦＦＣ１６」ともいう。）が配設されている。したがって、この点で、原稿読取装置１０は、原稿Ｐから画像を読み取る読取部の一例であるＣＩＳ１３を内部に収容した状態で、画像形成装置２のハウジングでもある複合機１のベースハウジング２Ａに対して、その上方を覆う閉位置とその上方を開放する開位置との間での開閉自在に取り付けられたスキャナーハウジングとして機能する。
【００２８】
図３に示すように、原稿読取装置１０は、その枠部材１２の左側の縁部がベースハウジング２Ａにおける左側の上側縁部にヒンジ３１を介して回動自在に支持されることにより、ベースハウジング２Ａに対して、その上方を覆う閉位置とその上方を開放する開位置との間での開閉自在に取り付けられている。なお、原稿読取装置１０は、ベースハウジング２Ａに対して閉位置状態のとき、ベースハウジング２Ａの上側に向いた開口部２ａ内に嵌め込まれる。
【００２９】
原稿読取装置１０の下面側には、矩形状の底板部材１８がその四隅をボルト１９により枠部材１２の隅角部に締結された状態で固定されている。また、図３に示すように、原稿読取装置１０の枠部材１２における１つの隅角部（開位置状態の図３では上方前側となる隅角部）の近傍には、枠部材１２の下端側から厚さ方向に矩形の凹部１２ａが切り欠き形成されている。そして、その凹部１２ａの下端側開口内に位置するように、底板部材１８の縁辺からは突片状の係止部１８ａが突設されている。
【００３０】
図３に示すように、画像形成装置２内（すなわち、ベースハウジング２Ａ）内の底部には、印刷時に印刷用紙を支持する支持台４１が配設されるとともに、その支持台４１の上方位置にはガイド軸４２が主走査方向となる前後方向に沿って架設されている。ガイド軸４２には直方体状のキャリッジ４３が往復移動自在に支持されるとともに、そのキャリッジ４３の下面側には支持台４１上に搬送された印刷用紙に対してインクを噴射可能な記録ヘッド４４が搭載されている。また、ベースハウジング２Ａにおける右側壁には、前後方向に長い長方形の開閉パネル４５が、印刷用紙の排出口となる開口を覆う閉位置（図３の位置）と、その開口を開放する開位置との間での開閉自在に設けられている。
【００３１】
また、図２及び図３に示すように、ベースハウジング２Ａの前側壁の右端上部には、指先を挿入可能な窪み部２ｃが形成されている。したがって、ユーザーはベースハウジング２Ａに対して閉位置にある原稿読取装置１０を開位置に変位させたい場合には、この窪み部２ｃに指先を入れた後、その指先で原稿読取装置１０を持ち上げるようにすれば、容易に原稿読取装置１０を開位置に変位させることができる。
【００３２】
また、ベースハウジング２Ａの右側壁において開閉パネル４５が設けられた部位よりも前方側部位、すなわち、ベースハウジング２Ａの四隅のうち１つの隅角部付近の上壁部には、開孔２ｂが形成されている。一方、搬送装置２０において閉位置になったときに開孔２ｂと上下方向で一致する箇所には、剛性を有する押圧部（例えば、金属面部位など）２０ｂが形成されている。そして、ベースハウジング２Ａ内において、開孔２ｂと対応する位置には、原稿読取装置１０をベースハウジング２Ａに対して開閉不能なロック状態と開閉可能なアンロック状態とするために作動されるロック機構５０が設けられている。
【００３３】
そこで次に、図４及び図５を併せ参照して、ロック機構５０の詳細な構造について説明する。なお、以下の説明においては、複合機１が図１に示す状態、すなわち、ベースハウジング２Ａに対して原稿読取装置１０が閉位置にあるとともに、原稿読取装置１０に対して搬送装置２０が閉位置にある状態のことを「第１状態」という。その一方、複合機１が図２に示す状態、すなわち、ベースハウジング２Ａに対して原稿読取装置１０が閉位置にある一方、原稿読取装置１０に対して搬送装置２０が開位置にある状態のことを「第２状態」という。さらに、複合機１が図３に示す状態、すなわち、原稿読取装置１０に対して搬送装置２０が閉位置にあるとともに、その原稿読取装置１０がベースハウジング２Ａに対して開位置にある状態のことを「第３状態」という。また、説明の便宜上、図４及び図５においては、ベースハウジング２Ａにおける右側壁と前側壁とのコーナー部近傍の側壁の図示を省略している。
【００３４】
図４及び図５に示すように、ロック機構５０は、その主たる構成要素として、移動部材５１、ロック部材５２、保持部材５３、第１スプリング６１、第２スプリング６２及び開閉センサー５４を有している。
【００３５】
図４に示すように、ベースハウジング２Ａにおける開孔２ｂが形成された部位の下面側には、ロック機構５０の各構成要素を保持可能な保持部材５３がボルト５５により取り付けられている。そして、この保持部材５３に対して、移動部材５１が開孔２ｂの貫通方向である上下方向への移動自在に保持されるとともに、ロック部材５２が移動部材５１の移動方向と直交する方向である前後方向への移動自在に保持されている。なお、本実施形態では、移動部材５１の後方側にロック部材５２は配置されている。
【００３６】
第１スプリング６１は、保持部材５３と移動部材５１との間に蓄力状態で介在し、移動部材５１を上方側に付勢している。第２スプリング６２は、ベースハウジング２Ａの一部とロック部材５２との間に蓄力状態で介在し、ロック部材５２を移動部材５１に接近する方向である前方側に付勢している。
【００３７】
また、移動部材５１は、ベースハウジング２Ａの開孔２ｂに挿通可能な角柱状をなす突出部分５１Ａを上部に有し、複合機１が第２状態及び第３状態にあるときには、その突出部分５１Ａが第１スプリング６１に付勢された状態で開孔２ｂから先端を突出させた状態に保持される。また、移動部材５１において突出部分５１Ａの基端部からは、ロック部材５２側（すなわち、本実施形態では後方側）に向けて板片状の当接部分５１Ｂが突設されている。さらに、移動部材５１において突出部分５１Ａの基端部のロック部材５２側（すなわち、本実施形態では前方側）からは垂下片状の被検出部分５１Ｃが下方に向けて延出されている。
【００３８】
図４及び図５に示すように、ロック部材５２は、移動部材５１の突出部分５１Ａと接触可能とされる接触部分５２Ａ及び原稿読取装置１０における枠部材１２の凹部１２ａ内に出入り可能であって且つその凹部１２ａ内を前後方向への移動自在とされる係合部分５２Ｂを有している。接触部分５２Ａは、移動部材５１側（すなわち、本実施形態では前方側）ほど下り勾配となる斜面部分の下端に鉛直面部分が連続したカム形状のカム面に形成されている。また、係合部分５２Ｂは、ベースハウジング２Ａにおいて原稿読取装置１０の枠部材１２が嵌合される開口部２ａが位置する側（すなわち、本実施形態では左方側）に突出する板片形状を呈する。
【００３９】
図４及び図５に示すように、開閉センサー５４は、ロック部材５２の移動領域よりも下方となる位置であって且つベースハウジング２Ａに形成された開孔２ｂのほぼ直下となる位置で保持部材５３に保持されている。この開閉センサー５４は、周知の投受光センサーであって、左右方向に並んだ投光部分５４Ａ及び受光部分５４Ｂを有する。投光部分５４Ａは受光部分５４Ｂに対して光Ｌを出力する。開閉センサー５４は、投光部分５４Ａから出力された光Ｌが受光部分５４Ｂに入力されたとき、複合機１が第２状態（及び第３状態）であることを検出する。一方、開閉センサー５４は、投光部分５４Ａから出力された光Ｌが受光部分５４Ｂに入力されないとき、複合機１が第１状態であることを検出する。
【００４０】
そこで次に、本実施形態の複合機１における作用について、特にロック機構５０の作用に着目して以下説明する。
さて、複合機１が図２に示す第２状態にある場合、ロック機構５０は、図４に示すように、第１スプリング６１の上方向への付勢力により、移動部材５１が上方向に移動する。すなわち、移動部材５１は、その突出部分５１Ａの先端をベースハウジング２Ａの開孔２ｂから上方向に突出させた位置（以下、「第１位置」という。）に移動する。
【００４１】
また、この第２状態において、移動部材５１は上方の第１位置に移動するため、その被検出部分５１Ｃが開閉センサー５４の投光部分５４Ａと受光部分５４Ｂとの間よりも上方に位置する。このため、投光部分５４Ａから出力された光は、移動部材５１の当接部分５１Ｂに遮られることなく、受光部分５４Ｂに入力される。その結果、開閉センサー５４は、複合機１が第２状態であることを検出する。
【００４２】
さらに、複合機１が第２状態にある場合において、移動部材５１が上方の第１位置にあるとき、ロック部材５２は、第２スプリング６２の前方向への付勢力により、前方向に移動する。そして、その接触部分５２Ａにおける斜面部分の上部が移動部材５１の突出部分５１Ａに当接した位置、すなわちロック位置で停止する。このとき、ロック部材５２の係合部分５２Ｂは、原稿読取装置１０における枠部材１２の凹部１２ａ内を前方向へ移動し、底板部材１８の係止部１８ａと係止する。その結果、ロック部材５２がロック位置に移動した第２状態において、原稿読取装置１０は、ベースハウジング２Ａに対して開閉不能な状態であるロック状態となる。
【００４３】
一方、複合機１が図１に示す第１状態にある場合、ロック機構５０は、閉じ動作した搬送装置２０の押圧部２０ｂに移動部材５１の突出部分５１Ａが上方から押圧されることにより、図６に示すように、移動部材５１が第１スプリング６１の付勢力に抗して下方向に移動する。すなわち、移動部材５１は、その突出部分５１Ａの先端をベースハウジング２Ａの開孔２ｂから下方向に没入させた位置（以下、「第２位置」という。）に移動する。
【００４４】
また、この第１状態において、移動部材５１は下方の第２位置に移動するため、その被検出部分５１Ｃが開閉センサー５４の投光部分５４Ａと受光部分５４Ｂとの間に位置する。このため、投光部分５４Ａから出力された光は、移動部材５１の当接部分５１Ｂにより遮られ、受光部分５４Ｂに入力されない。その結果、開閉センサー５４は、複合機１が第１状態であることを検出する。
【００４５】
さらに、複合機１が第１状態にある場合において、移動部材５１が下方の第２位置にあるとき、ロック部材５２は、移動部材５１の当接部分５１Ｂに接触部分５２Ａの斜面部分が押されることにより、第２スプリング６２の付勢力に抗して後方向に移動する。そして、その接触部分５２Ａにおける鉛直面部分が移動部材５１の突出部分５１Ａに当接した位置、すなわちアンロック位置で停止する。このとき、ロック部材５２の係合部分５２Ｂは、原稿読取装置１０における枠部材１２の凹部１２ａ内を後方向へ移動し、底板部材１８の係止部１８ａとは非係止となる。その結果、ロック部材５２がアンロック位置に移動した第１状態において、原稿読取装置１０は、ベースハウジング２Ａに対して開閉可能な状態であるアンロック状態となる。
【００４６】
なお、第１位置と第２位置との間の移動部材５１が移動する領域を第１領域とする一方、ロック位置とアンロック位置との間のロック部材５２が移動する領域を第２領域とした場合、図６に示すように、開閉センサー５４は、第１領域と第２領域との重複する領域Ｘ内に設けられる。そのため、開閉センサー５４は、ベースハウジング２Ａの開孔２ｂのほぼ直下となる領域Ｘ内にコンパクトに配置されることになる。
【００４７】
上記実施形態によれば、以下に示す効果を得ることができる。
（１）開閉センサー５４は、原稿読取装置１０がベースハウジング２Ａに対して開閉不能なロック状態にある場合と開閉可能なアンロック状態にある場合における移動部材５１の位置の違いを利用して搬送装置２０の原稿読取装置１０に対する開閉状態を検出する。このため、移動部材５１に加えて、搬送装置２０の開閉状態を直接的に検出するセンサーを画像読取装置３に取り付ける構成と比較して、画像読取装置３の大型化を抑制することができる。
【００４８】
（２）開閉センサー５４は、アンロック状態における移動部材５１の位置によって搬送装置２０が原稿読取装置１０に対して閉位置にあることを検出する。一方、開閉センサー５４は、ロック状態における移動部材５１の位置によって搬送装置２０が原稿読取装置１０に対して開位置にあることを検出する。移動部材５１は、第１位置から第２位置に移動する過程でロック部材５２と当接してロック部材５２をロック位置からアンロック位置に移動させる当接部分５１Ｂと、第２位置において搬送装置２０が原稿読取装置１０に対して閉位置にあることを開閉センサー５４に検出させる被検出部分５１Ｃとを有する。
【００４９】
このため、より簡易な構成で、上記（１）と同様な効果、すなわち、ロック部材５２及び移動部材５１に加えて、搬送装置２０の開閉状態を直接的に検出するセンサーを画像読取装置３に取り付ける構成と比較して、画像読取装置３の大型化を抑制することができる。
【００５０】
（３）移動部材５１の移動領域である第１領域とロック部材５２の移動領域である第２領域との重複する領域Ｘに開閉センサー５４が位置する。このため、領域Ｘ以外の領域に開閉センサー５４を設ける構成と比較して、画像読取装置３の大型化を抑制することができる。
【００５１】
（４）接触部分５２Ａは、移動部材５１側ほど下り勾配となる斜面部分の下端に鉛直面部分が連続したカム形状のカム面に形成されている。このため、接触部分５２Ａが有するカム形状を適宜変更することにより、移動部材５１の移動に伴いロック部材５２が移動する態様を様々な態様に変更することができる。
【００５２】
（５）複合機１が第２状態にある場合において、ロック部材５２の係合部分５２Ｂは、底板部材１８の係止部１８ａと係止することによりロック状態を形成する。このため、第２状態において、原稿読取装置１０がベースハウジング２Ａに対して開閉不能な状態とすることができる。
【００５３】
なお、上記実施形態は、以下のような別の実施形態に変更してもよい。
・上記実施形態において、開閉センサー５４は、ロック部材５２の位置によって複合機１が、第１状態または第２状態及び第３状態であることを検出してもよい。
【００５４】
・上記実施形態において、搬送装置２０は、原稿Ｐを原稿読取装置１０の所定位置に搬送する機能を有さなくてもよい。すなわち、搬送装置２０は、原稿読取装置１０に対して回動自在に連結されていればよい。
【００５５】
・上記実施形態において、移動部材５１の当接部分５１Ｂにカム形状を形成してもよい。
・上記実施形態において、開閉センサー５４を、領域Ｘ以外の領域に設けてもよい。
【００５６】
・上記実施形態において、画像読取装置３は、画像形成装置２と組み合わせて使用されることなく、単独で使用される構成であってもよい。
・上記実施形態において、記録装置としての画像形成装置は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００５７】
２…画像形成装置（記録装置）、２Ａ…ベースハウジング、３…画像読取装置、１０…原稿読取装置（スキャナーハウジング）、１３…コンタクトイメージセンサーユニット（読取り部）、２０…原稿搬送装置（開閉部材）、５１…移動部材、５１Ｂ…当接部分、５１Ｃ…被検出部分、５２…ロック部材、５２Ａ…接触部分、５４…開閉センサー、Ｐ…原稿、Ｘ…領域。
【図１】
2014013971.tif 000003
【図２】
2014013971.tif 000004
【図３】
2014013971.tif 000005
【図４】
2014013971.tif 000006
【図５】
2014013971.tif 000007
【図６】
2014013971.tif 000008
【図７】
2014013971.tif 000009